(57)【要約】【課題】この発明は、割り込み処理を許可する際の制限処理枚数を設定することができる画像形成装置を提供することを目的とする。【解決手段】任意のユーザのジョブ処理開始前またはジョブ実行中において、上記ジョブが実行されている途中に他のジョブの割り込みを無条件許可するか制限付許可するかを、上記ユーザに設定させるための手段、制限付き許可が設定された場合に、割り込みを許可しうる制限処理枚数を設定させる手段、ならびに制限付許可設定が行われている場合には、割り込み処理の予定処理枚数が制限処理枚数以内である場合にのみ、割り込み処理を許可する手段を備えている。【選択図】  図１
2004325470.tif 000002
【特許請求の範囲】
【請求項１】
任意のユーザのジョブ処理開始前またはジョブ実行中において、上記ジョブが実行されている途中に他のジョブの割り込みを無条件許可するか制限付許可するかを、上記ユーザに設定させるための手段、
制限付き許可が設定された場合に、割り込みを許可しうる制限処理枚数を設定させる手段、ならびに
制限付許可設定が行われている場合には、割り込み処理の予定処理枚数が制限処理枚数以内である場合にのみ、割り込み処理を許可する手段、
を備えていることを特徴とする画像形成装置。
【請求項２】
任意のユーザのジョブ処理開始前またはジョブ実行中において、上記ジョブが実行されている途中に他のジョブの割り込みを無条件許可するか制限付許可するかを、上記ユーザに設定させるための手段、
制限付き許可が設定された場合に、割り込みを許可しうる制限処理枚数を設定させる手段、
制限付許可設定が行われている場合に割り込み要求があったときには、割り込み処理の予定処理枚数が制限処理枚数を越えているか否かを判定する手段、
割り込み処理の予定処理枚数が制限処理枚数以下である場合には、当該割り込み処理を実行させる手段、ならびに
割り込み処理の予定処理枚数が制限処理枚数を越えている場合には、割り込み処理枚数が制限処理枚数分に達するまで、当該割り込み処理を実行させる手段、
を備えていることを特徴とする画像形成装置。
【発明の詳細な説明】
【０００１】
【産業上の利用分野】
この発明は、複写機等の画像形成装置に関する。
【０００２】
【従来の技術】
複写機等の画像形成装置として、あるユーザがジョブを実行している途中で、そのジョブが完了する前に、割り込みを行って別のジョブを実行させるといった割り込み機能を備えたものがある。また、このような割り込みを許可するか、禁止するかの設定を、通常のジョブを実行しているときに設定できるものも既に開発されている。
【０００３】
ところで、割り込み許可／禁止設定を行う場合に、当該ユーザが行いたいまたは行っているジョブによっては、短時間の割り込みなら許可してもよいが、長時間の割り込みは禁止したいという場合がある。
【０００４】
【特許文献】特開平９−２１８６１６号公報
【０００５】
【発明が解決しようとする課題】
この発明は、割り込み処理を許可する際の制限処理枚数を設定することができる画像形成装置を提供することを目的とする。
【０００６】
【課題を解決するための手段】
請求項１に記載の発明は、任意のユーザのジョブ処理開始前またはジョブ実行中において、上記ジョブが実行されている途中に他のジョブの割り込みを無条件許可するか制限付許可するかを、上記ユーザに設定させるための手段、制限付き許可が設定された場合に、割り込みを許可しうる制限処理枚数を設定させる手段、ならびに制限付許可設定が行われている場合には、割り込み処理の予定処理枚数が制限処理枚数以内である場合にのみ、割り込み処理を許可する手段を備えていることを特徴とする。
【０００７】
請求項２に記載の発明は、任意のユーザのジョブ処理開始前またはジョブ実行中において、上記ジョブが実行されている途中に他のジョブの割り込みを無条件許可するか制限付許可するかを、上記ユーザに設定させるための手段、制限付き許可が設定された場合に、割り込みを許可しうる制限処理枚数を設定させる手段、制限付許可設定が行われている場合に割り込み要求があったときには、割り込み処理の予定処理枚数が制限処理枚数を越えているか否かを判定する手段、割り込み処理の予定処理枚数が制限処理枚数以下である場合には、当該割り込み処理を実行させる手段、ならびに割り込み処理の予定処理枚数が制限処理枚数を越えている場合には、割り込み処理枚数が制限処理枚数分に達するまで、当該割り込み処理を実行させる手段を備えていることを特徴とする。
【０００８】
【発明の実施の形態】
以下、図面を参照して、この発明を、複写機に適用した場合の実施の形態について説明する。
【０００９】
図１は、デジタル複写機の概略構成を示している。
【００１０】
デジタル複写機は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１と、スキャナ１２と、画像読み取りＣＣＤ１３とを備えている。制御部２０は、ＣＰＵ、ＲＯＭ、ＲＡＭ等を備えている。
【００１１】
画像形成部４０は、レーザスキヤンユニット（ＬＳＵ）４１と、感光体ドラム等を含む静電複写機構とを備えている。ユーザ操作部５０は、テンキー、スタートボタン、割り込ボタン等の各種キーを含むキー入力部５１と、タッチパネル付きの液晶表示部５２と、ＬＥＤ表示部５３とを備えている。
【００１２】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像は、制御部２０を介して、ＨＤＤ３０に格納される。ＨＤＤ３０に格納された画像データは制御部２０を介してＬＳＵ４１に送られる。ＬＳＵ４１は、送られてきた画像データにしたがってレーザ光を発生し、それを変調・偏向して感光体上に静電潜像パターンを形成する。
【００１３】
このデジタル複写機は、あるユーザがジョブを実行している途中で、そのジョブが完了する前に、割り込みを行って別のジョブを実行させるといった割り込み機能を備えている。ジョブを実行しようとするユーザは、そのジョブの処理開始前に、割り込みを無条件許可するか制限付き許可するかを選択できるようになっている。制限付き許可を選択した場合には、さらに、割り込み時の複写枚数の制限枚数を設定できるようになっている。
【００１４】
図２は、割り込み許可設定処理手順を示している。
【００１５】
複写機が処理を実行していない状態で、あるユーザＡがジョブａを開始するためにスタートボタンを押すと（ステップ１）、図３に示すような割り込み許可設定画面が液晶表示部５２を表示する（ステップ２）。
【００１６】
割り込み許可設定画面には、無条件許可ボタンと制限付き許可ボタンとが表示される。ユーザＡは、割り込みを無条件許可する場合には、無条件許可ボタンを押す。割り込みジョブに制限を付けたい場合には、ユーザＡは制限付き許可ボタンを押す。
【００１７】
割り込み許可設定画面上の無条件許可ボタンが押された場合には（ステップ３でＹＥＳ）、ジョブａの処理を開始するとともに（ステップ５）、図４に示すように、割り込みが許可されていること示す画面を液晶表示部５２に表示する（ステップ６）。
【００１８】
割り込み許可設定画面上の制限付き許可ボタンが押された場合には（ステップ４でＹＥＳ）、図５に示すような制限枚数設定画面を液晶表示部５２を表示する（ステップ７）。
【００１９】
制限枚数設定画面には、制限枚数入力部とキャンセルボタンが表示される。テンキーによって数字が入力されると（ステップ８でＹＥＳ）、制限枚数設定画面上の制限枚数入力部に入力された数字が表示されるとともに、制限枚数（制限処理枚数）として記憶される（ステップ９）。制限枚数設定画面上のキャンセルボタンが押された場合には、ステップ２に戻る。スタートボタンが押されると（ステップ１０でＹＥＳ）、入力された制限枚数が１以上であるか否かを判定する（ステップ１１）。
【００２０】
入力された制限枚数が１以上である場合には、制限枚数を入力値に応じた値に設定した後（ステップ１２）、ジョブａの処理を開始する（ステップ１４）。また、図６に示すように、割り込みが許可されていることおよび割り込み処理における制限枚数を示す画面を液晶表示部５２に表示する（ステップ１５）。
【００２１】
上記ステップ１１において、入力された制限枚数が０または制限枚数が入力されてないと判定した場合には、制限枚数を予め設定されたデフォルト値に設定した後（ステップ１３）、ジョブａの処理を開始する（ステップ１４）。また、割り込みが許可されていることおよび割り込み処理における制限枚数を示す画面を液晶表示部５２に表示する（ステップ１５）。
【００２２】
上記の例では、あるユーザＡがジョブａを開始する前に、割り込み許可設定を行うようにしているが、あるユーザＡがジョブａを開始した後、そのジョブａが実行されているときに、割り込み許可設定を行うようにしてもよい。
【００２３】
図７は、あるジョブの印字処理中に、他のユーザがジョブｂについて割り込み印字処理を行う際の処理手順を示している。
【００２４】
この実施の形態では、割り込み印字処理は、原稿をコンタクトガラス上にセットして、１枚の原稿に対して任意枚数のコピーを行う場合に限定されているものとする。
【００２５】
あるジョブの印字処理中に、他のユーザが割り込みボタンを押すと（ステップ２１）、無条件許可状態か、制限付き許可状態か、割り込み禁止状態かを判別する（ステップ２２）。割り込み禁止状態である場合には、ステップ２１に戻る。なお、割り込み禁止状態になる場合については、まだ説明していないが、後の説明によって明らかになる。
【００２６】
無条件許可状態にある場合には、液晶表示部５２に印字設定画面が表示され、ユーザによる印字設定が行われる（ステップ２３）。印字設定の後に、スタートボタンが押されると（ステップ２４）、割り込み印字処理を開始する（ステップ２５）。また、図８に示すように、割り込み印字中であることを示す画面を液晶表示部５２に表示する（ステップ２６）。
【００２７】
割り込み印字処理が終了すると（ステップ２７）、元のジョブの印字処理に復帰する（ステップ２８）。また、図４に示すように、割り込みが許可されていること示す画面を液晶表示部５２に表示する（ステップ２９）。
【００２８】
上記ステップ２２において、制限付き許可状態であると判別した場合には、液晶表示部５２に印字設定画面が表示され、ユーザによる印字設定が行われる（ステップ３０）。印字設定の後に、スタートボタンが押されると（ステップ３１）、印字設定において設定された複写枚数（割り込み印字予定枚数）が現在の制限枚数以内であるか否かを判別する（ステップ３２）。
【００２９】
割り込み印字予定枚数が制限枚数以内である場合には、割り込み印字処理を開始する（ステップ３３）。また、図８に示すように、割り込み印字中であることを示す画面を液晶表示部５２に表示する（ステップ３４）。
【００３０】
割り込み印字処理が終了すると（ステップ３５）、元のジョブの印字処理に復帰する（ステップ３６）。また、制限枚数から今回の割り込み処理での処理枚数を減算した結果が０であるか否かを判別する（ステップ３７）。減算結果が０でない場合には、減算結果を制限枚数とする（ステップ３８）。制限枚数を更新する。そして、図６に示すように、割り込みが許可されていることおよび割り込み処理における制限枚数を示す画面を液晶表示部５２に表示する（ステップ３９）。
【００３１】
減算結果が０である場合には、割り込み禁止状態にする（ステップ４０）。そして、図９に示すように、割り込み不許可であることを示す画面を液晶表示部５２に表示する（ステップ４１）。
【００３２】
上記ステップ３２において、印字設定において設定された複写枚数（割り込み印字予定枚数）が現在の制限枚数を越えていると判別した場合には、図１０に示すように、制限枚数までの割り込み印字を行うか否かの選択画面を液晶表示部５２に表示する（ステップ４２）。この選択画面には、ＹＥＳボタンとＮＯボタンが表示される。
【００３３】
選択画面上のＮＯボタンが押された場合には（ステップ４３）、ステップ２１に戻る。選択画面上のＹＥＳボタンが押された場合には（ステップ４３）、制限枚数分の割り込み印字処理を開始する（ステップ４４）。また、図８に示すように、割り込み印字中であることを示す画面を液晶表示部５２に表示する（ステップ４５）。
【００３４】
制限枚数分の割り込み印字処理が終了すると（ステップ４６）、元のジョブの印字処理に復帰する（ステップ４７）。割り込み禁止状態にする（ステップ４８）とともに、図９に示すように、割り込み不許可であることを示す画面を液晶表示部５２に表示する（ステップ４９）。
【００３５】
上記実施の形態では、割り込み印字処理は、原稿をコンタクトガラス上にセットして、１枚の原稿に対して任意枚数のコピーを行う場合に限定されているが、割り込み印字処理において、原稿送り装置（ＤＦ）１１に複数枚の原稿をセットして、複数枚の原稿に対して任意枚数のコピーを行えるようにすることも可能である。この場合には、上記ステップ３２の判定に必要な割り込み印字予定枚数は、たとえば、次のようにして算出される。つまり、ステップ３１とステップ３２との間において、原稿送り装置（ＤＦ）１１にセットされた全ての原稿の読み取りおよびその保存を行うことにより、原稿枚数を認識し、認識した原稿枚数と印字設定において設定された複写枚数とから、割り込み印字予定枚数を算出する。
【００３６】
このようにした場合には、ステップ３２の時点では、全ての原稿の読み取りおよびその保存が終了しているので、ステップ３３またはステップ４４では、保存されている原稿画像を用いて割り込み印字処理を行うことになる。
【００３７】
【発明の効果】
この発明によれば、割り込み処理を許可する際の制限処理枚数を設定することができるようになる。
【図面の簡単な説明】
【図１】デジタル複写機の概略構成を示すブロック図である。
【図２】割り込み許可設定処理手順を示すフローチャートである。
【図３】割り込み許可設定画面の例を示す模式図である。
【図４】割り込みが許可されていること示す画面の例を示す模式図である。
【図５】制限枚数設定画面の例を示す模式図である。
【図６】割り込みが許可されていることおよび割り込み処理における制限枚数を示す画面の例を示す模式図である。
【図７】あるジョブの印字処理中に、他のユーザがジョブｂについて割り込み印字処理を行う際の処理手順を示すフローチャートである。
【図８】割り込み印字中であることを示す画面の例を示す模式図である。
【図９】割り込み不許可であることを示す画面の例を示す模式図である。
【図１０】制限枚数までの割り込み印字を行うか否かの選択画面の例を示す模式図である。
【符号の説明】
１０  スキャナ部
２０  制御部
３０  ハードディスク（ＨＤＤ）
４０  画像形成部
５０  ユーザ操作部
【図１】
2004325470.tif 000003
【図２】
2004325470.tif 000004
【図３】
2004325470.tif 000005
【図４】
2004325470.tif 000006
【図５】
2004325470.tif 000007
【図６】
2004325470.tif 000008
【図７】
2004325470.tif 000009
【図８】
2004325470.tif 000010
【図９】
2004325470.tif 000011
【図１０】
2004325470.tif 000012